(57)【要約】【課題】給水ポンプをケーシングから取り外し清掃することができる加湿器を提供する。【解決手段】加湿通路を備えたケーシング１３と、加湿通路内に配置され、水を保持し取り込まれた空気を加湿するフィルタ３９と、ケーシング１３内に着脱可能に設置され、フィルタ３９に水を供給する水供給ユニット２７，３１，４１とを備え、水供給ユニット２７，３１，４１は、水を貯留する貯水ユニット２７，３１と、フィルタ３９に水を供給する給水ユニット４１と、貯水ユニット２７，３１から給水ユニット４１に水を搬送する搬送手段５１とからなる加湿器１１において、搬送手段５１は、磁性体５８からなるインペラ５７を有するポンプ５１からなり、インペラ５７のポンプ５１は磁性を帯びたポンプ駆動部６３により回転駆動され、ポンプ５１を水供給ユニット２７，３１，４１に、ポンプ駆動部６３をケーシング１３にそれぞれ設けた。【選択図】図６
2012154548.tif 000002
【特許請求の範囲】
【請求項１】
吸気口から排気口まで至る加湿通路を備えたケーシングと、前記加湿通路内に配置され、水を保持し前記吸気口から取り込まれた空気を加湿するフィルタと、前記ケーシング内に着脱可能に設置され、前記フィルタに水を供給する水供給ユニットとを備え、
前記水供給ユニットは、水を貯留する貯水ユニットと、前記フィルタに水を供給する給水ユニットと、前記貯水ユニットから前記給水ユニットに水を搬送する搬送手段とからなる加湿器において、
前記搬送手段は、ハウジングに収容された磁性体からなるインペラを有するポンプからなり、該ポンプのインペラは磁性を帯びたポンプ駆動部により回転駆動され、
前記ポンプを前記水供給ユニットに、前記ポンプ駆動部を前記ケーシングに、それぞれ設けたことを特徴とする加湿器。
【請求項２】
前記ポンプを前記水供給ユニットの給水ユニットに設けたことを特徴とする請求項１に記載の加湿器。
【請求項３】
前記ポンプを前記水供給ユニットの貯水ユニットに設けたことを特徴とする請求項１に記載の加湿器。
【請求項４】
前記貯水ユニットと前記給水ユニットとを、前記ケーシングに一体に着脱可能に設けたことを特徴とする請求項２または３に記載の加湿器。
【請求項５】
前記貯水ユニットと前記給水ユニットとを、前記ケーシングに別々に着脱可能に設けたことを特徴とする請求項２または３に記載の加湿器。
【請求項６】
前記給水ユニットは、前記貯水ユニットから搬送手段により搬送される水の流路を有し、該流路は、前記給水ユニットに一体に設けられた搬送溝と、該搬送溝に着脱可能に係合する給水カバーとからなることを特徴とする請求項１から５のいずれかに記載の加湿器。
【請求項７】
前記給水ユニットを前記ケーシングに装着した状態で、前記給水ユニットの上端の開口を前記ケーシングに配設された給水ユニット用カバーで閉塞したことを特徴とする１から６のいずれかに記載の加湿器。
【請求項８】
前記ポンプの磁性体の軸心を、前記ケーシングに対し前記水供給ユニットを着脱する方向に設けたことを特徴とする請求項１から７のいずれかに記載の加湿器。
【発明の詳細な説明】
【技術分野】
【０００１】
本発明は、水を包含したフィルタにより空気を加湿するフィルタユニット式加湿器に関する。
【背景技術】
【０００２】
従来、種々のフィルタユニット式加湿器が提案されている。
【０００３】
例えば特許文献１には、隔壁により上下に分割されたハウジングの内部上側に送風路を、下側にタンク室をそれぞれ設けた加湿器が記載されている。この加湿器では、吸気口から導入された外気が、送風路に配設された加湿フィルタを通過することで加湿されている。また、加湿フィルタは、タンク室の内部に延びる吸水管の途中に配設された給水ポンプにより、タンク室から吸水管および給水パンを経て水が供給されている。
【０００４】
特許文献２には、フィルタユニットにより清浄にされた空気を、気化フィルタユニットを通過させることで加湿する空気清浄機が記載されている。この気化フィルタユニットは、気化フィルタの下部が水タンクからポンプを用いて給水される給水トレイ内の水に浸り、毛細管現象により水を吸い上げている。また、前記ポンプは、筐体ケースに配設されたポンプ継ぎ手ユニットに一体に設けられている。
【０００５】
特許文献３には、吸引口から吸い込まれた空気が、本体内部に配置された気化エレメントを通過することで湿気を帯び、吐出口から外部に放出される加湿器が記載されている。この加湿器では、水槽内の水が水管に設けた汲み上げポンプにより汲み上げられ、水管、シャワー口を経て気化エレメントに供給されている。
【０００６】
しかし、特許文献１から３のいずれに記載の加湿器でも、本体にポンプが設けられているので、ポンプを本体から取り外せなかった。従って、ポンプを清掃することができず、内部にスケールなどが溜まることによる不具合が発生するという問題があった。
【先行技術文献】
【特許文献】
【０００７】
【特許文献１】特開２０１０−１９４４４号公報
【特許文献２】特開２０１０−５４１９０号公報
【特許文献３】特開２００２−４８３６５号公報
【発明の概要】
【発明が解決しようとする課題】
【０００８】
本発明は、前記従来の問題点に鑑みてなされたもので、ポンプをケーシングから取り外し、清掃することができる加湿器を提供することを課題とする。
【課題を解決するための手段】
【０００９】
前記課題を解決するため、本発明の加湿器は、
吸気口から排気口まで至る加湿通路を備えたケーシングと、前記加湿通路内に配置され、水を保持し前記吸気口から取り込まれた空気を加湿するフィルタと、前記ケーシング内に着脱可能に設置され、前記フィルタに水を供給する水供給ユニットとを備え、
前記水供給ユニットは、水を貯留する貯水ユニットと、前記フィルタに水を供給する給水ユニットと、前記貯水ユニットから前記給水ユニットに水を搬送する搬送手段とからなる加湿器において、
前記搬送手段は、ハウジングに収容された磁性体からなるインペラを有するポンプからなり、該ポンプのインペラは磁性を帯びたポンプ駆動部により回転駆動され、
前記ポンプを前記水供給ユニットに、前記ポンプ駆動部を前記ケーシングに、それぞれ設けたものである。
【００１０】
ポンプとポンプ駆動部とを分離して設けたので、ポンプをケーシングから取り外し内部のインペラを清掃することができる。従って、ポンプの内部にスケールなどが溜まることによる不具合の発生を防止することができる。
【００１１】
具体的な１つの手段として、前記ポンプを前記水供給ユニットの給水ユニットに設けることが好ましい。
これにより、給水ユニットをケーシングから取り外すことで、ポンプを清掃すると共に、スケールなどが溜まりやすいフィルタを清掃することができる。
【００１２】
他の手段として、前記ポンプを前記水供給ユニットの貯水ユニットに設けてもよい。
これにより、貯水ユニットをケーシングから取り外すことで、ポンプを清掃すると共に、貯水ユニット内に溜まったスケールなどを取り除き、より確実にポンプにスケールが溜まることによる不具合を防止することができる。また、貯水ユニットをケーシングに装着したときに、ポンプとポンプ駆動部との位置関係がより安定する。
【００１３】
前記貯水ユニットと前記給水ユニットとを、前記ケーシングに一体に着脱可能に設けることが好ましい。
これにより、貯水ユニット、給水ユニット、およびフィルタとポンプを同時にケーシングから取り外すことができるため、清掃性が向上する。
【００１４】
前記貯水ユニットと前記給水ユニットとを、前記ケーシングに別々に着脱可能に設けることが好ましい。
これにより、ポンプを清掃する際に貯水ユニットまたは給水ユニットのうち、いずれか一方をケーシングから取り外せばいいので、作業効率を向上することができる。
【００１５】
前記給水ユニットは、前記貯水ユニットから搬送手段により搬送される水の流路を有し、該流路は、前記給水ユニットに一体に設けられた搬送溝と、該搬送溝に着脱可能に係合する給水カバーとからなることが好ましい。
これにより、フィルタの清掃時に給水カバーを搬送溝から分離し、流路の内部を清掃することができる。従って、より確実に、スケールなどが溜まることによる不具合の発生を防止することができる。
【００１６】
前記給水ユニットを前記ケーシングに装着した状態で、前記給水ユニットの上端の開口を、前記ケーシングに配設された給水ユニット用カバーで閉塞することが好ましい。
ケーシングから取り出した際には、上端が開口しているので、給水ユニット内部の清掃が容易であると共に、給水ユニットの部品点数を減らし製造コストを削減することができる。
【００１７】
前記ポンプの磁性体の軸心を、前記ケーシングに対し前記水供給ユニットを着脱する方向に設けることが好ましい。
これにより、磁性体の軸心回りの磁極と、この磁極と引き合うポンプ駆動部の磁極とが、ケーシングから水供給ユニットを着脱する際に位置ずれを起こしにくいため、位置ずれによるポンプの作動不良を防止することができる。
【発明の効果】
【００１８】
本発明によれば、ポンプとポンプ駆動部とを分離して設けたので、ポンプをケーシングから取り外し、分解して内部のインペラを清掃することができる。従って、ポンプの内部にスケールなどが溜まることによる不具合の発生を防止することができる。
【図面の簡単な説明】
【００１９】
【図１】本発明の実施形態による加湿器の前方から見た斜視図。
【図２】図１の加湿器からタンク、トレイおよび滴下ユニットを取り外した状態を示す斜視図。
【図３】図１の加湿器の分解斜視図。
【図４】図３の遠心ポンプを分解した状態を示す滴下ユニットおよびトレイの拡大斜視図。
【図５】図１のＡ−Ａ線断面図。
【図６】図１のＢ−Ｂ線に沿った部分拡大断面図。
【図７】（Ａ）と（Ｂ）は遠心ポンプをトレイに設けた変形例を示す部分拡大断面図。
【図８】（Ａ）は貯水ユニットとして貯水容器を用い、貯水容器と滴下ユニットとを一体に着脱可能に設けた変形例を示す加湿器の断面図、（Ｂ）は（Ａ）の蓋部分の拡大平面図。
【図９】図８の貯水容器と滴下ユニットとを別々に着脱可能に設けた変形例を示す加湿器の断面図。
【発明を実施するための形態】
【００２０】
次に、添付図面を参照して、本発明の実施形態を詳細に説明する。
【００２１】
図１に、本発明の実施形態に係る加湿器１１を前方から見た斜視図を示す。
加湿器１１は、図２に示すように、本体１２と、水を貯留するタンク２７と、このタンク２７を収容し本体１２の側面下部に着脱可能に配置されたトレイ３１と、タンク２７からトレイ３１を介して供給された水を保持するフィルタ３９と、このフィルタ３９を設置する滴下ユニット（給水ユニット）４１とを有している。前記タンク２７とトレイ３１とが貯水ユニットを構成している。また、前記貯水ユニットと滴下ユニット４１とが更に、水供給ユニットを構成している。
【００２２】
本体１２は、ケーシング１３を有している。ケーシング１３は、加湿通路下流側に配設された前カバー１４と、加湿通路上流側に配設された後カバー１５と、前カバー１４と後カバー１５とを支持するベース１６（図３参照）とからなる。ケーシング１３の側面には、矩形の開口１７が設けられている。
【００２３】
図３に示すように、前カバー１４の上面には加湿器１１内部の空気を機外に排出する格子状の排気口１４ａが形成されている。
【００２４】
後カバー１５の背面には加湿器１１内部に空気を取り込む複数のスリットからなる吸気口１５ａが形成されている。
【００２５】
ベース１６の上部には、メインファン１８が回転可能に設置されており、このメインファン１８の周囲には、吹き出された空気を排気口１４ａに案内するインボリュート通路１９が構成されている。インボリュート通路１９の前側は、円形孔を有するインボリュートカバー２０により蓋され、インボリュートカバー２０と前カバー１４の間にメインファン１８への吸い込み流路が形成されている。インボリュート通路１９の下側には、滴下ユニット４１の上端を閉塞する滴下ユニット（給水ユニット）用カバー２１が設けられている。
【００２６】
ベース１６の下部には、トレイ３１を水平方向に着脱可能に支持する基台２３が形成されている。この基台２３は、本体１２の前後方向に直交する方向に延びる一対の直方体形状の箱からなり、トレイ３１は開口１７を介し基台２３の側面に摺接しながら本体１２に着脱される。
【００２７】
タンク２７は、図２に示すように、鉛直方向に延び内部に水を貯留する公知のタンクであり、トレイ３１に装着された状態で底面に設けられた接続口２８を介して水をトレイ３１に供給する。
【００２８】
トレイ３１は、タンク２７を鉛直方向に着脱可能に保持するタンク装着部３２と、滴下ユニット４１を鉛直方向に着脱可能に保持する滴下ユニット装着部３３とを備えている。タンク装着部３２は上端が開口した鉛直方向に延びる略箱形状である。滴下ユニット装着部３３は、タンク装着部３２のケーシング１３に対向する面からケーシング１３の内部に向かって水平方向に延びている。タンク装着部３２のケーシング１３に対向する面の下縁には連通孔３４が設けられており（図４参照）、この連通孔３４を介してタンク２７からタンク装着部３２に流入した水が滴下ユニット装着部３３に溜められるようになっている。また、滴下ユニット装着部３３の後壁３５は、タンク装着部３２に隣接し、後方に向かって突出する遠心ポンプ配設部３７を形成している。この遠心ポンプ配設部３７は、滴下ユニット４１を滴下ユニット装着部３３に装着した状態で、後述する遠心ポンプ（搬送手段）５１が位置するように構成されている。
【００２９】
フィルタ３９は、例えば、不織布など含水性を有する材料を積み重ねたり、折り畳むことで構成されている。
【００３０】
滴下ユニット４１は、長手方向に延びる複数の滴下孔４５（図５参照）が形成され、下方に位置するフィルタ３９に水を滴下する矩形の容器からなる滴下部４６と、この滴下部４６の両側から垂下する脚部４７と、この脚部４７の間に配置され、フィルタ３９を載置し複数の円形孔４２が形成された載置板４３と、滴下ユニット装着部３３に溜められた水を滴下部４６まで汲み上げる遠心ポンプ５１とを備えている。
【００３１】
本発明に係る遠心ポンプ５１は、滴下ユニット４１のタンク装着部３２に近接する脚部４７の下部に配設されている。遠心ポンプ５１は、滴下ユニット装着部３３に溜められた水を吸い込むインペラハウジング５２と、このインペラハウジング５２に収容され軸回りに回転し水を汲み上げる動力源となるインペラ５７と、前記インペラハウジング５２と係合するインペラハウジングカバー６１とを備えている。
【００３２】
インペラハウジング５２は、インペラハウジングカバー６１に係合する円形の中間部分５３から下方に向かって屈曲する吸引口５４と、前記中間部分５３から上方に向かって延びる吐出口５５とからなる。
【００３３】
インペラ５７は、周方向に交互にＮ極とＳ極の磁性を帯びた円盤状の磁性体５８からなり、この磁性体５８のインペラハウジング５２側表面からは正面視十字形状に立ち上がる撹拌部５９が設けられている。このインペラ５７は、図６に示すように、基台２３の内部にインペラ５７と対向するように配設されたポンプ駆動部６３と引き合う磁力により回転駆動される。ポンプ駆動部６３は、周方向に交互にＮ極とＳ極の磁性を帯びた回転体６４と、この回転体６４を回転させる公知のモータ６５とからなる。具体的には、ポンプ駆動部６３の回転体６４と、インペラ５７の磁性体５８とが対向しているので、回転体６４と磁性体５８とが互いの磁力により引き合っている。
【００３４】
インペラハウジングカバー６１は、滴下ユニット４１に一体成形され、一端が閉蓋された薄肉の円筒形状である。
【００３５】
また、インペラハウジングカバー６１の上方には、遠心ポンプ５１で汲み上げられた水を滴下部４６まで案内する流路６７が設けられている。この流路６７は、滴下ユニット４１に一体形成され鉛直に延びる搬送溝６８と、この搬送溝６８に分離可能に係合する給水カバー６９とで構成されている。
【００３６】
次に、本発明の実施形態に係る加湿器１１の動作について説明する。
【００３７】
加湿器１１の図示しないスイッチをオンすると、メインファン１８が回転し、吸気口１５ａから空気が吸い込まれる。本体１２の内部に取り込まれた空気は、図５に矢印で示す加湿通路を経て排気口１４ａから室内に排出される。すなわち、本体１２内に吸い込まれた空気はまず、フィルタ３９を通過し、フィルタ３９に含まれた水が空気中に気化して混入することで、空気が加湿される。この加湿された空気は、前カバー１４の壁面により上方に案内され、インボリュートカバー２０の開口を介してメインファン１８に吸い込まれ、インボリュート通路１９を経て排気口１４ａから室内に排出される。これにより、室内を加湿することができる。
【００３８】
また、フィルタ３９に水を供給するため、ポンプ駆動部６３の回転体６４を回転駆動すると、図６に示すように、遠心ポンプ５１のインペラ５７が回転する。これにより、滴下ユニット装着部３３に溜められた水が吸引口５４から吸引され、インペラ５７の撹拌部５９を介して吐出口５５から吐出される。この吐出された水は、流路６７を介して滴下部４６まで搬送され、この滴下部４６の滴下孔４５からフィルタ３９に滴下される。フィルタ３９に滴下された水は、載置板４３の円形孔４２を介し滴下ユニット装着部３３に戻される。
【００３９】
本実施形態の遠心ポンプ５１および流路６７の内部を水が通過するため、スケールなどが溜まる可能性がある。このため、遠心ポンプ５１および流路６７を清掃するには、まず、トレイ３１を開口１７から基台２３に摺接させながら取り出す。このとき、トレイ３１に装着されたタンク２７、滴下ユニット４１、および滴下ユニット４１に装着されたフィルタ３９も同時に取り出される。取り出されたトレイ３１の滴下ユニット装着部３３から滴下ユニット４１を上方に持ち上げることで、滴下ユニット４１と滴下ユニット装着部３３とを切り離す。
【００４０】
そして、遠心ポンプ５１のインペラハウジング５２をインペラハウジングカバー６１から外方に引っ張ることで、インペラハウジング５２とインペラハウジングカバー６１との係合を解除し、インペラハウジングカバー６１からインペラハウジング５２とインペラ５７とを分離することができる。これにより、インペラハウジング５２、インペラ５７およびインペラハウジングカバー６１をそれぞれ、清掃することができるので、遠心ポンプ５１の内部にスケールなどが溜まることによる不具合の発生を防ぐことができる。更に、流路６７の搬送溝６８から給水カバー６９を分離できるので、流路６７の内部を清掃し、より確実にスケールなどが溜まるのを防止することができる。また、滴下ユニット４１をケーシング１３から取り外すので、遠心ポンプ５１を清掃すると共に、スケールなどが溜まりやすいフィルタ３９を清掃することができる。そして、ベース１６の滴下ユニット用カバー２１に閉塞されていた滴下部４６の上端が開口しているので、ケーシング１３から取り外した際に、滴下部４６の清掃が容易であると共に、滴下ユニット４１の部品点数を減らし製造コストを削減することができる。
【００４１】
遠心ポンプ５１の清掃が終わり滴下ユニット４１をケーシング１３に装着するには、まず、インペラハウジング５２内にインペラ５７を収容し、インペラハウジング５２とインペラハウジングカバー６１とを係合する。流路６７を分離している場合には、給水カバー６９を搬送溝６８に取り付ける。次に、滴下ユニット４１をトレイ３１の滴下ユニット装着部３３に上方から嵌め込むと共に、同様にタンク２７をタンク装着部３２に嵌め込む。このトレイ３１を開口１７を介し、滴下ユニット装着部３３を基台２３に摺接させながら、本体１２の内部に向かって水平方向に移動させる。そして、タンク装着部３２がケーシング１３に当接し開口１７を閉塞することで、タンク２７、トレイ３１および滴下ユニット４１の本体１２への装着が完了する。このとき、遠心ポンプ５１はポンプ駆動部６３と対向する位置に位置決めされるので、ポンプ駆動部６３の回転体６４と、インペラ５７の磁性体５８とが対向し、回転体６４と磁性体５８とが互いの磁力により引き合い、回転体６４が回転駆動されることにより磁性体５８、すなわちインペラ５７が回転可能に配設される。また、磁性体５８の軸心を、ケーシング１３からトレイ３１を着脱する方向に設けているので、磁性体５８の軸心回りの磁極と、回転体６４の磁極とが、ケーシング１３からトレイ３１を着脱する際に位置ずれを起こしにくいため、位置がずれることによる遠心ポンプ５１の作動不良を防止することができる。
【００４２】
本発明の加湿器１１は前記実施形態に限定されず、種々の変形が可能である。
【００４３】
遠心ポンプ５１に関しては、前記実施形態では滴下ユニット４１に設けたが、これに限定されない。例えば図７（Ａ）および図７（Ｂ）に示すように、吸引口５４からなるインペラハウジング５２だけを滴下ユニット４１に設け、インペラ５７とインペラハウジングカバー６１とをトレイ３１に設ける構成を採用しても、同様の効果を得ることができる。これにより、遠心ポンプ５１とポンプ駆動部６３との位置関係がより安定する。
【００４４】
前記実施形態では搬送手段として遠心ポンプ５１を用いたが、これに限定されず、例えば磁性を帯びることにより引き合う一対の磁性体により駆動される軸流ポンプを採用してもよい。
【００４５】
タンク２７とトレイ３１に関しては、前記実施形態では別々に設けたが、これに限定されない。例えば、図８（Ａ）に示すように、タンク２７とトレイ３１とを一体にし、フィルタ３９に供給する水を貯留する貯水容器（貯水ユニット）７１をケーシング１３に着脱可能に設けてもよい。この貯水容器７１は滴下ユニット４１の下側に設置され、内部に水を収容し、上端にはカバー７３が設けられている。このカバー７３には、流路６７を引き出すための開口７３ａが形成されている。また、貯水容器７１の底部には、ポンプ駆動部６３と対向するように遠心ポンプ５１が設けられている。滴下ユニット４１から貯水容器７１内を下方に延びる流路６７が、吐出口５５と嵌合している。貯水容器７１のカバー７３には、内部に向かって延びる戻り管７２が形成されており、フィルタ３９から滴下した水が、この戻り管７２を介して貯水容器７１に戻り、循環するようになっている。また、貯水容器７１の開口７３ａは、ヒンジ７４ａの回りに回動する蓋７４で蓋されている（図８（Ｂ）参照）。
【００４６】
本実施形態では、流路６７が貯水容器７１内の遠心ポンプ５１まで延び、かつ、滴下ユニット４１が貯水容器７１のカバー７３に載置されているので、滴下ユニット４１と貯水容器７１とをケーシング１３から一体に取り外し、またはケーシング１３に一体に取り付けることができる。この構成によって、貯水容器７１、滴下ユニット４１、およびフィルタ３９と遠心ポンプ５１の清掃性が向上する。ケーシング１３から取り外された滴下ユニット４１と貯水容器７１とは、蓋７４を開放し、滴下ユニット４１を上方に持ち上げることで分離できる。そして、遠心ポンプ５１を貯水容器７１から取り出し、清掃することができる。滴下ユニット４１と貯水容器７１とを一体に設けることで部品点数を減らし、加湿器１１の製造コストを削減することができる。
尚、本実施形態では遠心ポンプ５１を貯水容器７１に設けたが、遠心ポンプ５１を滴下ユニット４１に設けてもよい。このとき、ポンプ駆動部６３は、遠心ポンプ５１のインペラ５７と対向するように、ケーシング１３に配設される。
【００４７】
図９に、貯水容器７１の更なる変形例を示す。この加湿器１１では、ケーシング１３の内部を上下に隔てる隔壁７５を設け、この隔壁７５の上側に滴下ユニット４１を、下側に貯水容器７１をそれぞれ収容している。貯水容器７１には、上部開口を閉塞する蓋体７６が取り外し可能に装着されている。この蓋体７６には、吐出口５５と係合し上面まで延びる給水管７７と戻り管７２とが形成されている。給水管７７は、隔壁７５の吸水管側孔７８を介し流路６７と連通することで、遠心ポンプ５１から滴下部４６まで水を搬送している。また、隔壁７５の戻り管７２の上方には戻り管側孔７９が形成されており、フィルタ３９から滴下した水が、円形孔４２と戻り管側孔７９を介して戻り管７２に流入する。
【００４８】
本実施形態では、隔壁７５の上側に滴下ユニット４１を、下側に貯水容器７１をそれぞれ別々に設けているので、滴下ユニット４１と貯水容器７１とをケーシング１３から別々に取り外し、またはケーシング１３に別々に取り付けることができる。ケーシング１３から取り外された貯水容器７１においては、蓋体７６を開放し遠心ポンプ５１を取り出してから、清掃することができる。また、遠心ポンプ５１を清掃する際に貯水容器７１だけをケーシング１３から取り外せばいいので、作業効率を向上することができる。
【００４９】
更に、本実施形態では貯水容器７１に遠心ポンプ５１を設けたが、これに代えて、隔壁７５よりも上側の滴下ユニット４１にポンプを設け、貯水容器７１内の水を給水管７７と流路６７を介して滴下部４６まで搬送する構成を採用しても同様の効果を得ることができる。このとき、ポンプ駆動部６３は、インペラ５７と対向するように、ケーシング１３に配設される。なお、ポンプは遠心ポンプ５１に限定されず、引き合う力により駆動される種々のポンプを採用してもよい。
【００５０】
本実施形態では、滴下ユニット４１の上部に位置する滴下部４６から下方に位置するフィルタ３９に水を滴下させたが、これに限定されない。例えば、滴下ユニット４１の下部に貯水容器７１から遠心ポンプ５１を介し搬送されてきた水を貯留する給水トレイ（図示せず）を設け、この給水トレイに浸されたフィルタの下縁部から毛細管現象によりフィルタ内に水を上方に吸い上げる構成を採用しても、同様の効果を得ることができる。
【符号の説明】
【００５１】
１１  加湿器
１３  ケーシング
１４ａ  排気口
１５ａ  吸気口
２１  滴下ユニット（給水ユニット）用カバー
２７  タンク（貯水ユニット、水供給ユニット）
３１  トレイ（貯水ユニット、水供給ユニット）
３９  フィルタ
４１  滴下ユニット（給水ユニット、水供給ユニット）
５１  遠心ポンプ（ポンプ、搬送手段）
５２  インペラハウジング（ハウジング）
５７  インペラ
５８  磁性体
６３  ポンプ駆動部
６７  流路
６８  搬送溝
６９  給水カバー
７１  貯水容器（貯水ユニット）
【図１】
2012154548.tif 000003
【図２】
2012154548.tif 000004
【図３】
2012154548.tif 000005
【図４】
2012154548.tif 000006
【図５】
2012154548.tif 000007
【図６】
2012154548.tif 000008
【図７】
2012154548.tif 000009
【図８】
2012154548.tif 000010
【図９】
2012154548.tif 000011